(57)【要約】【課題】吸水性及び放湿性が高く、かつ薄く嵩張らず、皮脂もとることができるタオルハンカチを提供する。【解決手段】パイル糸、地経糸及び地緯糸からなる織布生地であって、前記パイル糸が合成繊維と天然繊維を撚り合わせて構成されるタオルハンカチであり、特に前記パイル糸を構成する前記合成繊維が超極細ポリエステル系繊維で、天然繊維が綿糸で構成され、前記地経糸及び地緯糸が再生セルロースで構成されるタオルハンカチである。【選択図】    図１
2005052201.tif 000002
【特許請求の範囲】
【請求項１】
パイル糸、地経糸及び地緯糸からなる織布生地のタオルハンカチにおいて、パイル糸が合成繊維と天然繊維を撚り合わせて構成されてなることを特徴とするタオルハンカチ。
【請求項２】
パイル糸が合成繊維と天然繊維を撚り合わせて構成され、地経糸及び地緯糸が再生セルロース繊維からなる織布生地で製作されたことを特徴とするタオルハンカチ。
【請求項３】
１本のパイル糸と２本の地経糸を１組とし、前記パイル糸の左右に地経糸を配し、前記左右の地経糸のいずれか１つが天然繊維であり、他の１つが再生セルロース繊維であることを特徴とする請求項１又は２に記載のタオルハンカチ。
【請求項４】
前記合成繊維が超極細ポリエステル系繊維であり、天然繊維が綿糸であり、再生セルロース繊維がキュプラであることを特徴とする請求項１〜３のいずれか１項に記載のタオルハンカチ。
【請求項５】
前記超極細ポリエステル系繊維の太さが、単糸繊度０．１〜１．０デニールであることを特徴とする請求項４に記載のタオルハンカチ。
【発明の詳細な説明】
【０００１】
【発明の属する技術分野】本発明は、タオル生地で構成されるタオルハンカチに関するものであり、特にパイル糸が超極細のポリエステル系繊維と綿糸の撚糸で構成される肌に優しい、吸湿性、放湿性の高いタオルハンカチに関する。
【０００２】
【従来の技術及び発明が解決しようとする課題】従来、汗や汚れ等の払拭のために所持、携帯されるハンカチ（ハンカチーフ）は、吸水性の高い綿製の布帛や高級感のある絹製の布帛などが多く、近年は、小型のパイル生地の布帛で吸水性に優れたタオルハンカチも広く使われている。
しかし、綿製のハンカチは、吸水性は高いが放湿性が低いため、一度使用して吸水してしまうとなかなか乾かない。また、絹製のハンカチは、肌触りは良いものの、吸水性は低く、皺になりやすい。そして、パイル生地のタオルハンカチは、小型に形成されいるとはいえ、全体に厚く嵩張るため携帯に適しているとは言えない。
一方、上記各種ハンカチは、汗や汚れを払拭する効果を有するが、顔等の皮脂を取る効果はなく、汗をハンカチで拭った後に、皮脂分が残ってしまうという問題があり、一般的に、ハンカチと一緒にあぶら取り紙を携帯して対処している。
特に、女性など化粧している場合などは、ハンカチを使って顔の汗を拭う際に化粧が崩れ、さらにあぶら取紙で皮脂を取る際にも化粧が崩れてしまい、二重に化粧が崩れてしまうという問題があった。
【０００３】
本発明は、前記課題の解決を目的とするものであって、吸水性及び放湿性の高い、かつ薄く嵩張らない、さらには皮脂もとることができるタオルハンカチを提供しようとするものである。
すなわち、本発明は下記構成のタオルハンカチである。
（１）パイル糸、地経糸及び地緯糸からなる織布生地のタオルハンカチにおいて、パイル糸が合成繊維と天然繊維を撚り合わせて構成されてなることを特徴とするタオルハンカチ。
（２）パイル糸が合成繊維と天然繊維を撚り合わせて構成され、地経糸及び地緯糸が再生セルロース繊維からなる織布生地で製作されたことを特徴とするタオルハンカチ。
（３）１本のパイル糸と２本の地経糸を１組とし、前記パイル糸の左右に地経糸を配し、前記左右の地経糸のいずれか１つが天然繊維であり、他の１つが再生セルロース繊維であることを特徴とする前記（１）又は（２）に記載のタオルハンカチ。
（４）前記合成繊維が超極細ポリエステル系繊維であり、天然繊維が綿糸であり、再生セルロース繊維がキュプラであることを特徴とする前記（１）〜（３）のいずれか１項に記載のタオルハンカチ。
（５）前記超極細ポリエステル系繊維の太さが、単糸繊度０．１〜１．０デニールであることを特徴とする前記（４）に記載のタオルハンカチ。
【０００４】
本発明のタオルハンカチは、パイル糸と地経糸及び地緯糸からなるものであり、前記パイル糸が合成繊維と天然繊維を撚り合わせて構成される織布生地からなるものである。
また、地経糸及び地緯糸は再生セルロース繊維が好ましい。
本発明においてタオルハンカチは、パイル糸と地経糸及び地緯糸からなるタオル生地により製作されるもので、携帯に便利な大きさに形成されるものであり、一辺が２３〜２７ｃｍ程度の正方形に形成されるのが好ましいが、使用用途に合わせ、さらに大きく、あるいは小さく、また長方形に形成することもできるものであり、その大きさは限定されない。
また、本発明のタオルハンカチを構成する織布生地は、タオルハンカチの他、ハンドタオルやフェイスタオルなどのタオル、タオルケットやシーツなどにも用いることができ、また、後述のように透明感を有し、意匠性が高いので、ショールなどに用いることもできるものとなっている。
【０００５】
本発明のタオルハンカチにおける合成繊維としては、ナイロン繊維、ポリエステル繊維、アクリル繊維等が挙げられるが、特にポリエステル繊維で、超微細なもの、例えば単糸繊度０．１〜１．０デニールが好ましい。
また、本発明のタオルハンカチにおける天然繊維としては、綿糸、絹糸、麻糸などが挙げられるが、特に吸水性が高く、肌に優しい綿糸が好ましい。
すなわち、本発明のタオルハンカチのパイル糸は、超微細な合成繊維、例えば、ポリエステル繊維を複数本束ねて、天然繊維、例えば綿糸とで撚り合わせることで構成される。
【０００６】
本発明のタオルハンカチは、上述のようにパイル糸を構成する合成繊維と天然繊維において、合成繊維に、超微細なポリエステル繊維を複数本、例えば１００〜１５０本を束ねて１束にすることにより、繊維間の微細な空隙部が形成され、前記空隙部に皮脂や汚れが吸着されるとともに、放湿性が高く、速乾性を有する構造となっている。
ポリエステル繊維は、吸水性が悪く、かつ肌に触れた際に硬い感覚を与えるが、ポリエステル繊維と、天然繊維の綿糸を撚り合わせることにより、肌に優しく、全体に柔らかな感触を保持するパイル糸を形成することができる。
ポリエステル繊維と綿糸の撚り回数は、全体に綿糸の柔らかさが現出する程度の回数であればよく、例えば、１４４本で７５デニールの超微細ポリエステル繊維と６０番手の綿糸の場合には、１インチに１０〜１５回程度の撚りが好ましく、パイル糸全体としては３２．５番手程度の太さとなり好適である。
【０００７】
本発明のタオルハンカチにおける地経糸及び地緯糸は再生セルロース繊維で構成される。再生セルロースとしては、レーヨン、キュプラ、テンセルなどが挙げられるが、鮮明な発色性としなやかで絹のような光沢を持ち、さらに表面を構成する多孔質が吸湿性・吸水性を高め、さらには高い放湿性を有するキュプラで構成することが好ましい。
特に透明度の高いキュプラを地経糸及び地緯糸に採用することにより、タオルハンカチに透明感を与え意匠性の高いものとなり、さらに清潔感と爽快感を有するタオルハンカチを形成することができるものとなっている。
【０００８】
なお、本発明においては、１本のパイル糸と２本の地経糸を１組とし、前記パイル糸の左右に地経糸を配する構成とすることもできる。前記左右の地経糸のいずれか１つが天然繊維、例えば綿糸であり、他の１つが再生セルロース繊維、例えばキュプラとする。
１本のパイル糸の左右に綿糸とキュプラの２本の地経糸を配することにより、吸水性を高めると同時に、滑りやすいポリエステル繊維を含むパイル糸を確実に配置することができ、型くずれやパイルの変形を防ぐことができるものとなる。
【０００９】
【発明の実施の形態】
本発明のタオルハンカチの実施の形態を、実施例の図によって説明する。
図１は本発明のタオルハンカチの一部構造図、図２は本発明のタオルハンカチのパイル糸の斜視図、図３は本発明のタオルハンカチの一部断面図である。
図中、１はタオルハンカチ、２はパイル糸、２Ａは表パイル糸、２Ｂは裏パイル糸、３は地経糸Ａ、４は地経糸Ｂ、５は地緯糸、２０はポリエステル繊維、２１は綿糸である。
【００１０】
図１の本発明のタオルハンカチの一部構造図に示す本発明のタオルハンカチ１は、パイル糸２と地経糸Ａ３、地経糸Ｂ４及び地緯糸５により構成されている。
そして、図において１本のパイル糸２は２本の地経糸、ここでは地経糸Ａ３と地経糸Ｂ４とで１組に形成され、前記パイル糸２の左に地経糸Ａ３、右に地経糸Ｂ４が配されている。
地緯糸５は、５ａ、５ｂ、５ｃが一組に構成されている。そして、表パイル糸２Ａは、地経糸５ａと５ｃに対し浮き、裏パイル糸２Ｂは、地経糸５ｂに対し浮いて構成され、前記表パイル糸２Ａ及び裏パイル糸２Ｂの隣（図においては、地経糸Ａ３がパイル糸２（２Ａ、２Ｂ）の左側、地経糸Ｂ４がパイル糸２（２Ａ、２ｂ）の右側）に配置される地経糸Ａ３は、地緯糸５ａと５ｂに対し浮いて構成され、地経糸Ｂ４は、地緯糸５ｃに対し浮いて構成される。
【００１１】
そして、パイル糸２は、図２の本発明のタオルハンカチのパイル糸の斜視図に示すように、複数本の超極細のポリエステル繊維を束ねて構成されるポリエステル繊維２０と綿糸２１の撚り合わせで形成されている。
なお、本実施例においては、地経糸Ａ３はキュプラ、地経糸Ｂ４は綿糸で形成されている。
本発明のタオルハンカチ１は、地経糸は２本（地経糸Ａ３、地経糸Ｂ４）で構成され、かつ２本の地経糸のうち１本（ここでは地経糸Ａ３）がキュプラで構成され、他の１本（ここでは地経糸Ｂ４）が綿糸で構成され、パイル糸２の左右に配置することにより、滑りやすいポリエステル繊維２を含むパイル糸を確実に配置することができ、型くずれやパイルの変形を防ぐことができるものとなる。
また、パイル糸２と地経糸Ｂ４に綿糸を用いているので、肌に優しい感触を持つタオルハンカチ１となる。
さらに、前記地経糸Ａ３と地緯糸５を再生セルロース繊維のキュプラとすることによって、鮮明な発色性を有する、しなやかで絹のような光沢を持ち、さらに表面を構成する多孔質によって吸湿性・吸水性を高められ、加えて高い放湿性を有するタオルハンカチ１とすることができる。
また、透明度の高いキュプラを採用することにより、タオルハンカチ１に絹のようなしなやかさに透明感が加わり、軽量で清潔感と爽快感のあるタオルハンカチ１とすることができる。
【００１２】
【実施例】
本発明のタオルハンカチ１の実施例としては例えば、一辺が２６ｃｍの正方形で形成されるタオルハンカチ１において、
パイル糸：超微細ポリエステル繊維１４４本で７５デニールのポリエステル繊維２０を形成し、６０番手の綿糸２１とで撚り合わせて形成される３２．５番手程度のパイル糸２
地経糸Ａ３：撚数５００ｔ／Ｍの１００デニールのキュプラ
地経糸Ｂ４：４０番手の綿糸
地緯糸５：撚数５００ｔ／Ｍの１００デニールのキュプラ
で構成する。
上記構成によるタオルハンカチ１は、超微細ポリエステル繊維が複数本束ねて形成されたポリエステル繊維２０をパイル糸２に用いているので、超微細ポリエステル繊維の繊維間に微細な空隙部が形成され、前記空隙部が皮脂や汚れの吸着力、吸水性、放湿性を高め、さらに速乾性も有するものとなる。
また、パイル糸２及び地経糸Ｂ４を綿糸で構成しているので、吸水性が高く、肌に優しいものとなる。
さらに、地経糸Ａ３及び地緯糸５はキュプラで構成しているので、しなやかで、軽量なものとなり、透明のキュプラを用いることで、全体に透けるような美観を備え、かつ清潔感の備えたタオルハンカチ１を形成することができる。
【００１３】
【発明の効果】
本発明のタオルハンカチによれば、パイル糸が合成繊維と天然繊維を撚り合わせて構成される織布生地により構成されているので、パイル糸を構成する天然繊維が肌に優しく、そしてパイル糸を構成する合成繊維が生地の伸縮を防止するので、型くずれしにくいタオルハンカチとなる。
そして、本発明のタオルハンカチにおいて、パイル糸が合成繊維と天然繊維を撚り合わせて構成され、地経糸及び地緯糸が再生セルロース繊維からなる織布生地で構成されたものは、上記効果に加え、さらに高い吸水性としなやかさを有するタオルハンカチとなる。
また、１本のパイル糸と２本の地経糸を１組とし、前記パイル糸の左右に天然繊維と再生セルロース繊維の地経糸を配することにより、滑りやすく、抜けやすい合成繊維を含んで構成されるパイル糸を確実に配置することができる。
そして、前記合成繊維を超極細ポリエステル系繊維で、天然繊維を綿糸で、再生セルロース繊維をキュプラで構成することにより、吸水性が高く、皮脂や汚れを吸着し、かつ、軽量で薄く、透明感・清潔感のある嵩張らずに携帯できる肌に優しいタオルハンカチとすることができる。
【図面の簡単な説明】
【図１】本発明のタオルハンカチの一部構造図
【図２】本発明のタオルハンカチのパイル糸の斜視図
【図３】本発明のタオルハンカチの一部断面図
【符号の説明】
１    タオルハンカチ
２    パイル糸
２Ａ  表パイル糸
２Ｂ  裏パイル糸
３    地経糸Ａ
４    地経糸Ｂ
５    地緯糸
２０  ポリエステル繊維
２１  綿糸
【図１】
2005052201.tif 000003
【図２】
2005052201.tif 000004
【図３】
2005052201.tif 000005